(57)【要約】【課題】  起床前後の血圧変化を観測することを可能にする血圧測定装置を提供する。【解決手段】  一態様に係る血圧測定装置は、ユーザの血圧を測定する血圧測定部と、前記ユーザの起床予定時刻より所定時間前の時刻に測定予定時刻を設定する設定部と、前記設定された測定予定時刻に従って、前記血圧測定部に前記ユーザの前記血圧を測定させる測定制御部と、を備える。【選択図】図４
2020146403.tif 000002
【特許請求の範囲】
【請求項１】
ユーザの血圧を測定する血圧測定部と、
前記ユーザの起床予定時刻より所定時間前の時刻に測定予定時刻を設定する設定部と、
前記設定された測定予定時刻に従って、前記血圧測定部に前記ユーザの前記血圧を測定させる測定制御部と、
を備える血圧測定装置。
【請求項２】
前記設定部は、予め設定された、アラームを出力する複数のアラーム時刻のうちの最も早いアラーム時刻を前記起床予定時刻として使用して、前記測定予定時刻を設定する、請求項１に記載の血圧測定装置。
【請求項３】
前記設定部は、前記ユーザの前日の起床時刻を前記起床予定時刻として使用して、前記測定予定時刻を設定する、請求項１に記載の血圧測定装置。
【請求項４】
前記ユーザの睡眠の深さを検出する睡眠検出部をさらに備え、
前記測定制御部は、前記設定された測定予定時刻を終点とする時間範囲において前記睡眠の深さが浅いことが前記睡眠検出部により検出されたときに、前記血圧測定部に前記ユーザの前記血圧を測定させ、前記時間範囲において前記睡眠の深さが浅いことが前記睡眠検出部により検出されない場合には、前記血圧測定部に、前記設定された測定予定時刻に前記ユーザの前記血圧を測定させる、請求項１乃至３のいずれか１項に記載の血圧測定装置。
【請求項５】
前記ユーザの心拍数を測定する心拍数測定部をさらに備え、
前記測定制御部は、前記設定された測定予定時刻を終点とする時間範囲において前記心拍数の測定値が予め設定された閾値を超えたときに、前記血圧測定部に前記ユーザの前記血圧を測定させ、前記時間範囲において前記心拍数の前記測定値が前記閾値を超えない場合には、前記血圧測定部に、前記測定予定時刻に前記ユーザの前記血圧を測定させる、請求項１乃至３のいずれか１項に記載の血圧測定装置。
【請求項６】
複数日にわたって前記測定予定時刻より前に前記ユーザの前記血圧を測定することで得られた測定結果に基づいて、前記所定時間を決定する決定部をさらに備える請求項１乃至５のいずれか１項に記載の血圧測定装置。
【請求項７】
ユーザの血圧を測定する血圧測定部を備える血圧測定装置が実行する血圧測定方法であって、
前記ユーザの起床予定時刻より所定時間前の時刻に測定予定時刻を設定する工程と、
前記設定された測定予定時刻に従って、前記血圧測定部に前記ユーザの前記血圧を測定させる工程と、
を備える血圧測定方法。
【発明の詳細な説明】
【技術分野】
【０００１】
本発明の態様は、睡眠中にユーザの血圧を測定する技術に関する。
【背景技術】
【０００２】
一般に、ヒトは睡眠時には覚醒時よりも血圧が低下する。しかしながら、睡眠中に血圧が低下せずに夜間を通して高値が持続する場合がある。このような現象は夜間高血圧と呼ばれる。夜間高血圧にはいくつかのタイプがある。他のタイプとして、睡眠が深くなったタイミング又は起床直前に一過性の血圧変動が生じるタイプなどがある。夜間高血圧は何らかの病態によりもたらされている可能性があり、ユーザが夜間高血圧であるか否かを判断することは重要である。これには、睡眠中にユーザの血圧を測定する必要がある。睡眠中にユーザの血圧を測定するために、予め設定された時刻（例えば午前２時）にユーザの血圧を測定するように構成された電子血圧計が知られている（例えば特許文献１を参照）。
【０００３】
ところで、血圧管理上、起床前後の血圧変化を知ることも重要である。例えば、血圧が急峻に上昇してその後下降する一過性の血圧変動がユーザの起床直前に生じることがある。このような血圧変動を捉えるためには、起床前後で血圧測定を行う必要がある。
【先行技術文献】
【特許文献】
【０００４】
【特許文献１】特開２００１−７０２６０号公報
【発明の概要】
【発明が解決しようとする課題】
【０００５】
特許文献１に開示されるような電子血圧計では、一般に、測定時刻はユーザが確実に寝ていると想定される時刻に設定される。このため、起床前の血圧測定を行うことができず、起床前後の血圧変化を捉えることはできない。
【０００６】
本発明は、上記の事情に着目してなされたものであり、その目的は、起床前後の血圧変化を観測することを可能にする血圧測定装置及び血圧測定方法を提供することである。
【課題を解決するための手段】
【０００７】
本発明は、上記課題を解決するために、以下の構成を採用する。
【０００８】
本発明の第１の態様では、血圧測定部は、ユーザの血圧を測定する血圧測定部と、前記ユーザの起床予定時刻より所定時間前の時刻に測定予定時刻を設定する設定部と、前記設定された測定予定時刻に従って、前記血圧測定部に前記ユーザの前記血圧を測定させる測定制御部と、を備える。
【０００９】
上記の構成によれば、ユーザの起床予定時刻より所定時間前の時刻に血圧測定が行われる。これにより、起床直前にユーザの血圧を測定することが可能となる。その結果、起床前後の血圧変化を観測することができるようになる。
【００１０】
本発明の第２の態様では、前記設定部は、予め設定された、アラームを出力する複数のアラーム時刻のうちの最も早いアラーム時刻を前記起床予定時刻として使用して、前記測定予定時刻を設定する。
【００１１】
上記の構成によれば、ユーザが起床する前に血圧測定をより確実に行うことができるようになる。
【００１２】
本発明の第３の態様では、前記設定部は、前記ユーザの前日の起床時刻を前記起床予定時刻として使用して、前記測定予定時刻を設定する。
【００１３】
上記の構成によれば、ユーザが起床する前に血圧測定をより確実に行うことができるようになる。
【００１４】
本発明の第４の態様では、血圧測定装置は、前記ユーザの睡眠の深さを検出する睡眠検出部をさらに備え、前記測定制御部は、前記設定された測定予定時刻を終点とする時間範囲において前記睡眠の深さが浅いことが前記睡眠検出部により検出されたときに、前記血圧測定部に前記ユーザの前記血圧を測定させ、前記時間範囲において前記睡眠の深さが浅いことが前記睡眠検出部により検出されない場合には、前記血圧測定部に、前記設定された測定予定時刻に前記ユーザの前記血圧を測定させる。
【００１５】
上記の構成によれば、起床前であって血圧が高いことが予測されるタイミングで血圧測定を行うことが可能となる。その結果、起床前後の血圧変化を効果的に観測することができるようになる。
【００１６】
本発明の第５の態様では、血圧測定装置は、前記ユーザの心拍数を測定する心拍数測定部をさらに備え、前記測定制御部は、前記設定された測定予定時刻を終点とする時間範囲において前記心拍数の測定値が予め設定された閾値を超えたときに、前記血圧測定部に前記ユーザの前記血圧を測定させ、前記時間範囲において前記心拍数の前記測定値が前記閾値を超えない場合には、前記血圧測定部に、前記測定予定時刻に前記ユーザの前記血圧を測定させる。
【００１７】
上記の構成によれば、起床前であって血圧が高いことが予測されるタイミングで血圧測定を行うことが可能となる。その結果、起床前後の血圧変化を効果的に観測することができるようになる。
【００１８】
本発明の第６の態様では、血圧測定装置は、複数日にわたって前記測定予定時刻より前に前記ユーザの前記血圧を測定することで得られた測定結果に基づいて、前記所定時間を決定する決定部をさらに備える。
【００１９】
上記の構成によれば、起床前であって血圧が高くなりやすいタイミングで血圧測定を行うことが可能となる。その結果、起床前後の血圧変化を効果的に観測することができるようになる。
【００２０】
本発明の第７の態様では、ユーザの血圧を測定する血圧測定部を備える血圧測定装置が実行する血圧測定方法は、前記ユーザの起床予定時刻より所定時間前の時刻に測定予定時刻を設定する工程と、前記設定された測定予定時刻に従って、前記血圧測定部に前記ユーザの前記血圧を測定させる工程と、を備える。
【００２１】
第７の態様は、第１の態様と同様の効果を得ることができる。
【発明の効果】
【００２２】
本発明によれば、起床前後の血圧変化を観測することを可能にする血圧測定装置及び血圧測定方法を提供することができる。
【図面の簡単な説明】
【００２３】
【図１】図１は、一実施形態に係る健康管理システムを示すブロック図である。
【図２】図２は、図１に示した血圧計のハードウェア構成の一例を示すブロック図である。
【図３】図３は、図１に示した血圧計の外観の一例を示す斜視図である。
【図４】図４は、図１に示した血圧計のソフトウェア構成の一例を示すブロック図である。
【図５】図５は、図１に示した血圧計が睡眠中にユーザの血圧を測定する際の動作例を示すフローチャートである。
【図６】図６は、図１に示した血圧計による血圧測定の手順を示すフローチャートである。
【図７】図７は、図１に示した血圧計による血圧測定におけるカフ圧と脈波信号との関係を示す図である。
【図８】図８は、一実施形態に係る血圧計のハードウェア構成の一例を示すブロック図である。
【図９】図９は、図８に示した血圧計のソフトウェア構成の一例を示すブロック図である。
【図１０】図１０は、図９に示した睡眠検出部が検出を行う時間範囲を示す図である。
【図１１】図１１は、図８及び図９に示した血圧計による血圧測定の手順を示すフローチャートである。
【図１２】図１２は、一実施形態に係る血圧計のハードウェア構成の一例を示すブロック図である。
【図１３】図１３は、図１２に示した血圧計のソフトウェア構成の一例を示すブロック図である。
【図１４】図１４は、図１２及び図１３に示した血圧計による血圧測定の手順を示すフローチャートである。
【図１５】図１５は、一実施形態に係る血圧計のソフトウェア構成の一例を示すブロック図である。
【発明を実施するための形態】
【００２４】
以下、図面を参照しながら本発明の実施形態を説明する。
【００２５】
［概要］
まず、図１を参照して、本発明の概要について説明する。
【００２６】
図１は、一実施形態に係る健康管理システム１０を概略的に示している。図１に示すように、健康管理システム１０は、電子血圧計１１、スマートフォン１２、サーバ１３、及び医師端末１４を備える。電子血圧計１１及びスマートフォン１２は患者であるユーザに関連付けられ、医師端末１４は医師に関連付けられる。血圧計１１はスマートフォン１２と直接に通信する。スマートフォン１２、サーバ１３、及び医師端末１４は、インターネットなどのネットワークＮＷを介して互いに通信する。
【００２７】
血圧計１１はユーザの血圧を測定するように構成される。血圧計１１は例えばオシロメトリック方式の血圧計である。一例として、測定は、毎日、起床前と起床後と就寝前との３回行うよう予定される。具体的には、血圧計１１は午後１１時に手動測定を行う。その後ユーザは血圧計１１を装着した状態で就寝する。血圧計１１はユーザの起床前に自動測定を行う。さらに、血圧計１１は起床後に手動測定を行う。ここで、手動測定は、ユーザがボタン押下などの操作を行うことを契機として行われる測定を指し、自動測定は、ユーザが操作を行うことなしに行われる測定を指す。血圧計１１は測定のたびに測定結果を示す測定データをスマートフォン１２に送信する。血圧計１１は、本発明の血圧測定装置に相当する。
【００２８】
血圧計１１は、次のようにして、ユーザの起床前に測定を行う。血圧計１１は、ユーザの起床予定時刻より所定時間前の時刻に測定予定時刻を設定し、測定予定時刻にユーザの血圧を測定する。一例では、起床予定時刻として、スマートフォン１２に設定された起床用アラームの出力時刻が利用される。この場合、血圧計１１は、起床用アラームを出力する時刻であるアラーム時刻を示すアラームデータをスマートフォン１２から受信し、受信したアラームデータにより示されるアラーム時刻を起床予定時刻とみなす。例えば、アラーム時刻が午前６時００分であり、所定時間が２０分である場合、測定予定時刻は午前５時４０分に設定される。
【００２９】
スマートフォン１２は、血圧計１１から測定データを受信する。スマートフォン１２は、血圧計１１により得られた測定結果を含むユーザに関するデータ（以下、ユーザデータと称する）を管理するアプリケーションを備える。このアプリケーションは、測定結果をグラフ表示したり、測定結果を分析した結果を表示したりする。さらに、スマートフォン１２はユーザデータをサーバ１３に送信する。
【００３０】
サーバ１３は、スマートフォン１２からユーザデータを受信して、受信したユーザデータを管理する。例えば、サーバ１３は、医師端末１４からの要求に応答して、ユーザデータを医師端末１４に送信する。
【００３１】
医師端末１４は、パーソナルコンピュータ（ＰＣ）などのコンピュータである。医師がユーザを診察する際には、医師端末１４は、ユーザデータを取得するためにサーバ１３にアクセスする。具体的には、医師端末１４は、サーバ１３に要求を送信し、サーバ１３からユーザデータを受信する。医師端末１４は、受信したユーザデータに含まれる血圧計１１により得られた測定結果を表示する。このようにして、ユーザの自宅での測定により得られた測定結果が医師によるユーザの診察に利用される。
【００３２】
上述した構成を有する健康管理システム１０では、血圧計１１は、測定予定時刻をユーザの起床予定時刻より所定時間前の時刻に設定し、測定予定時刻にユーザの血圧を測定する。これにより、ユーザの起床直前に血圧測定を行うことが可能となる。その結果、起床前後の血圧変動を捉えることができるようになる。例えば、起床直前に一過性の血圧変動が生じたか否かを観測することができるようになる。
【００３３】
次に、血圧計１１について詳細に説明する。
【００３４】
［構成例］
（ハードウェア構成）
図２及び図３を参照して、血圧計１１のハードウェア構成の一例を説明する。図２は、血圧計１１のハードウェア構成を概略的に示すブロック図であり、図３は、血圧計１１の外観を概略的に示す斜視図である。
【００３５】
図２に示すように、血圧計１１は、制御部２１、記憶装置２２、表示装置２３、入力装置２４、スピーカ２５、通信インタフェース２６、及び血圧測定部２７を備える。一例では、血圧計１１は電源として乾電池を使用する。
【００３６】
制御部２１は、ＣＰＵ（Central Processing Unit）２１１、ＲＡＭ（Random Access Memory）２１２、プログラムメモリ２１３などを含み、各構成要素を制御する。ＣＰＵ２１１はハードウェアプロセッサの一例である。ＲＡＭ２１２は、ＳＲＡＭ（Static RAM）などの揮発性メモリであり、ワーキングメモリとしてＣＰＵ２１１に使用される。プログラムメモリ２１３は、プログラム及びプログラムを実行するために必要な設定データを記憶する。プログラムメモリ２１３として、例えばＲＯＭ（Read-Only Memory）が使用される。なお、プログラムメモリ２１３は記憶装置２２の一部であってもよい。
【００３７】
記憶装置２２は、例えばフラッシュメモリなどの不揮発性メモリであり、測定結果などのデータを記憶する。記憶装置２２が備える記憶媒体は、コンピュータ又は機械などが記録されたプログラムなどの情報を読み取り可能なように、当該プログラムなどの情報を、電気的、磁気的、光学的、機械的又は化学的作用によって記憶する媒体である。
【００３８】
表示装置２３は、測定結果などの情報を表示する。表示装置２３は例えばセグメント方式の液晶表示装置である。表示装置２３は、ドットマトリックス方式の液晶表示装置であってもよく、ＯＬＥＤ（Organic Light Emitting Diode）ディスプレイであってもよい。
【００３９】
入力装置２４は、ユーザが血圧計１１に対する指示を入力することを可能にする。入力装置２４は、血圧測定を開始するための開始ボタンなどの複数のプッシュ式ボタンを含む。なお、入力装置２４は、表示装置２３の画面上に設けられたタッチパネルであってもよい。
【００４０】
スピーカ２５は、制御部２１からの音響信号に基づいて音を発する。例えば、スピーカ２５は、ユーザに血圧測定を促すために使用される。
【００４１】
通信インタフェース２６は、外部装置と通信するためのインタフェースである。通信インタフェース２６は、例えば、Bluetooth（登録商標）モジュール又はＢＬＥ（Bluetooth Low Energy）モジュールなどの近距離無線モジュールを含み、スマートフォン１２（図１）と無線通信する。通信インタフェース２６は、近距離無線モジュールに代えて、無線ＬＡＮ（Local Area Network）モジュールなどの他の無線モジュールを含んでよい。また、通信インタフェース２６は、マイクロＵＳＢ（Universal Serial Bus）コネクタなどの端子を含んでよく、ＵＳＢケーブルなどのケーブルを介して外部装置と通信してよい。
【００４２】
血圧測定部２７は、血圧を測定する。血圧測定部２７は、押圧カフ２７１、ポンプ２７２、ポンプ駆動回路２７３、弁２７４、弁駆動回路２７５、圧力センサ２７６、発振回路２７７、及び配管２７８、２７９を備える。図３に示す例では、押圧カフ２７１は、本体２８から分離している。血圧測定の際には、押圧カフ２７１はユーザの上腕に装着される。本体２８は、制御部２１、記憶装置２２、表示装置２３、入力装置２４、スピーカ２５、通信インタフェース２６、ポンプ２７２、ポンプ駆動回路２７３、弁２７４、弁駆動回路２７５、圧力センサ２７６、及び発振回路２７７を収容する。
【００４３】
ポンプ２７２及び弁２７４は配管２７９を介して押圧カフ２７１に接続される。圧力センサ２７６は配管２７８を介して押圧カフ２７１に接続される。なお、配管２７８、２７９は、共通の１本の配管であってもよい。ポンプ２７２は、例えば圧電ポンプであり、押圧カフ２７１内の圧力を増大させるために、配管２７８を通して押圧カフ２７１に空気を供給する。ポンプ駆動回路２７３は、制御部２１により制御され、ポンプ２７２を駆動する。弁駆動回路２７５は、制御部２１により制御され、弁２７４を駆動する。弁２７４が開いた状態では、押圧カフ２７１は大気と連通する。弁２７４は逆止弁の機能を有し、空気が弁２７４を通じて押圧カフ２７１に流入することはない。
【００４４】
圧力センサ２７６は、例えばピエゾ抵抗式圧力センサであり、押圧カフ２７１内の圧力（以下、カフ圧と称する）を検出し、カフ圧を表す電気信号を出力する。カフ圧は、例えば、大気圧を基準とした圧力である。発振回路２７７は、圧力センサ２７６からの電気信号に基づいて発振して、電気信号に応じた周波数を有する周波数信号を制御部２１に出力する。圧力センサ２７６の出力は、押圧カフ２７１の圧力を制御するために、及び、オシロメトリック法によって血圧値を算出するために用いられる。
【００４５】
なお、血圧計１１の具体的なハードウェア構成に関して、実施に応じて、適宜、構成要素の省略、置換及び追加が可能である。例えば、制御部２１は、複数のハードウェアプロセッサを含んでいてもよい。血圧計１１は、腕時計型血圧計などのウェアラブル血圧計であってもよい。
【００４６】
（ソフトウェア構成）
図４を参照して、血圧計１１のソフトウェア構成の一例を説明する。図４は、血圧計１１のソフトウェア構成の一例を示すブロック図である。図４に示すように、血圧計１１は、入力部４１、表示制御部４２、通信制御部４３、測定予定時刻設定部４４、測定制御部４５、測定報知部４６、及び測定結果記憶部４７を備える。入力部４１、表示制御部４２、通信制御部４３、測定予定時刻設定部４４、測定制御部４５、及び測定報知部４６は、血圧計１１の制御部２１がプログラムメモリ２１３に記憶されたプログラムを実行することによって下記の処理を実行する。制御部２１がプログラムを実行する際は、制御部２１は、プログラムをＲＡＭ２１２に展開する。そして、制御部２１は、ＲＡＭ２１２に展開されたプログラムをＣＰＵ２１１により解釈及び実行して、各構成要素を制御する。測定結果記憶部４７は記憶装置２２に設けられる。
【００４７】
入力部４１は、ユーザからの入力を受け付ける。入力部４１は、ユーザが入力装置２４に対して行った操作に応じた操作信号を入力装置２４から受け取り、この操作信号に基づいてユーザが入力した指示の内容を判断する。指示は、例えば、血圧測定を開始する指示、血圧測定を中止する指示、測定結果の履歴を表示する指示、測定データをスマートフォン１２に送信する指示などである。例えば、ユーザが血圧測定の開始を指示した場合、入力部４１は、測定開始指示信号を測定制御部４５に与える。また、ユーザが測定結果の履歴の表示を指示した場合、入力部４１は、履歴表示信号を表示制御部４２に与える。
【００４８】
表示制御部４２は、表示装置２３を制御し、情報を表示装置２３に表示させる。例えば、表示制御部４２は、血圧測定後に測定結果記憶部４７を介して測定制御部４５から測定結果を受け取り、この測定結果を表示装置２３に表示させる。また、表示制御部４２は、入力部４１から履歴表示信号を受け取ると、測定結果記憶部４７からユーザの指示に応じた測定結果を読み出し、表示装置２３に表示させる。
【００４９】
通信制御部４３は、通信インタフェース２６を制御する。通信制御部４３は、血圧測定後に測定結果記憶部４７を介して測定制御部４５から測定結果を受け取り、この測定結果を示す測定データを、通信インタフェース２６を介してスマートフォン１２（図１）に送信する。通信制御部４３は、通信インタフェース２６を介してスマートフォン１２から、アラーム時刻を示すアラームデータを受信し、受信したアラームデータを測定予定時刻設定部４４及び測定報知部４６に与える。
【００５０】
測定予定時刻設定部４４は、ユーザの起床予定時刻に基づいて測定予定時刻を設定する。測定予定時刻は、血圧測定を行うことが予定される時刻である。本実施形態では、測定予定時刻設定部４４は、ユーザの起床予定時刻より所定時間前の時刻に測定予定時刻を設定する。所定時間は、例えば、５分、１０分、２０分、３０分、１時間などであってよい。
【００５１】
一例では、測定予定時刻設定部４４は、通信制御部４３からアラームデータを受け取り、受け取ったアラームデータにより示されるアラーム時刻を起床予定時刻として使用して、測定予定時刻を設定する。具体的には、測定予定時刻設定部４４は、アラーム時刻より所定時間前の時刻に測定予定時刻を設定する。測定予定時刻設定部４４は、設定した測定予定時刻を示す測定予定時刻情報を測定制御部４５に与える。
【００５２】
起床用アラームは、例えば、ユーザが起床するために設定したと推定されるアラームを指す。例えば、設定時刻が特定の時間範囲（例えば午前５時から午前９時までの時間範囲）内にあるアラームを起床用アラームとみなす。スマートフォン１２に起床用アラームに関する複数のアラーム時刻が設定される場合、これらのアラーム時刻のうちの最も早いアラーム時刻が起床予定時刻として使用される。例えば、午前６時００分と午前６時３０分というアラーム時刻が設定される場合、測定予定時刻設定部４４は、午前６時００分を起床予定時刻として使用して、測定予定時刻を設定する。
【００５３】
なお、血圧計１１は、アラーム機能及び通信機能を有する他の装置、例えば目覚まし時計、からアラームデータを取得してもよい。また、血圧計１１がアラーム機能を有し、起床用アラームの出力時刻がユーザにより血圧計１１に入力されてもよい。
【００５４】
他の例では、測定予定時刻設定部４４は、前日の起床時刻を起床予定時刻として使用して、測定予定時刻を設定する。例えば、３月５日にユーザが起床した時刻が３月６日の起床予定時刻として使用される。起床時刻は、例えば、血圧計１１により検出される。一例として、血圧計１１は、ユーザが上腕から押圧カフ２７１を取り外した時刻を起床時刻と推定する。ユーザが上腕から押圧カフ２７１を取り外す動作は、例えば、押圧カフ２７１に設けた加速度センサの出力に基づいて検出することができる。起床時刻は、スマートフォン１２により検出されてもよい。例えば、スマートフォン１２は、ユーザがスマートフォン１２を持ち上げた時刻を起床時刻と推定する。ユーザがスマートフォン１２を持ち上げる動作は、スマートフォン１２に設けられた加速度センサの出力に基づいて検出することができる。スマートフォン１２は、検出した起床時刻を示す起床時刻情報を血圧計１１に送信する。
【００５５】
測定制御部４５は、血圧測定部２７を制御する。測定制御部４５は、入力部４１から測定開始指示信号を受け取ると、血圧測定部２７に血圧を測定させる。さらに、測定制御部４５は、測定予定時刻設定部４４から測定予定時刻情報を受け取る。測定制御部４５は、受け取った測定予定時刻情報により示される測定予定時刻に、血圧測定部２７に血圧を測定させる。
【００５６】
測定制御部４５は、血圧測定に関連する動作を制御する。測定制御部４５は、オシロメトリック法による血圧測定を行うために、ポンプ駆動回路２７３及び弁駆動回路２７５を制御する。測定制御部４５は、弁駆動回路２７５を介して弁２７４を閉状態にし、ポンプ駆動回路２７３を介してポンプ２７２を駆動する。それにより、押圧カフ２７１への空気の供給が開始される。押圧カフ２７１が膨張し、ユーザの上腕が圧迫される。測定制御部４５は、血圧値の算出が完了すると、ポンプ駆動回路２７３を介してポンプ２７２を停止し、弁駆動回路２７５を介して弁２７４を開状態にする。それにより、押圧カフ２７１から空気が排気される。測定制御部４５は、圧力センサ２７６を用いてカフ圧をモニタする。測定制御部４５は、血圧値の算出が完了する前にカフ圧が上限圧力を超えた場合には、ポンプ駆動回路２７３を介してポンプ２７２を停止し、弁駆動回路２７５を介して弁２７４を開状態にする。上限圧力は、安全性の観点から予め定められる。上限圧力は例えば３００ｍｍＨｇと定められる。
【００５７】
測定制御部４５は、押圧カフ２７１に空気を供給する加圧過程において、圧力センサ２７６から出力される圧力信号に基づいて、オシロメトリック法により血圧値を算出する。血圧値は、収縮期血圧（ＳＢＰ）及び拡張期血圧（ＤＢＰ）を含むが、これに限定されない。測定制御部４５は、算出した血圧値を時間情報に関連付けて測定結果記憶部４７に記憶させる。測定制御部４５は、血圧値とともに脈拍数を算出することができる。
【００５８】
測定報知部４６は、血圧測定を行うべきタイミングをユーザに報知する。報知は、表示装置２３及び／又はスピーカ２５を使用して行われる。一例では、測定報知部４６は、ユーザの起床予定時刻からこの起床予定時刻より所定時間後の時刻までに測定が行われなかった場合に報知を行い、そうでなければ報知を行わない。所定時間は、例えば、１０分、２０分、３０分などであってよい。測定報知部４６で使用される起床予定時刻は、測定予定時刻設定部４４で使用される起床予定時刻と同じであり得る。例えば、測定報知部４６は、通信制御部４３からアラームデータを受け取り、受け取ったアラームデータにより示されるアラーム時刻を起床予定時刻として使用する。他の例では、測定報知部４６は、ユーザの当日の起床時刻からこの起床時刻より所定時間後の時刻までに測定が行われなかった場合に報知を行い、そうでなければ報知を行わない。
【００５９】
なお、本実施形態では、血圧計１１の機能がいずれも汎用のプロセッサによって実現される例について説明している。しかしながら、血圧計１１の機能の一部又は全部が１又は複数の専用のプロセッサにより実現されてもよい。
【００６０】
［動作例］
図５は、血圧計１１が起床前後にユーザの血圧を測定するための動作フローを概略的に示している。図５のステップＳ５１では、制御部２１は、ユーザの起床予定時刻を示す起床予定時刻情報を取得する。例えば、制御部２１は、通信制御部４３として機能して、通信インタフェース２６を介してスマートフォン１２から、起床用アラームに関して設定されたアラーム時刻を示すアラームデータを受信する。制御部２１は、受信したアラームデータにより示されるアラーム時刻を起床予定時刻として扱う。
【００６１】
ステップＳ５２では、制御部２１は、測定予定時刻設定部４４として機能して、起床予定時刻より所定時間前の時刻に測定予定時刻を設定する。
【００６２】
ステップＳ５３では、制御部２１は、測定制御部４５として機能して、測定予定時刻設定部４４により設定された測定予定時刻にユーザの血圧を測定するように、血圧測定部２７を制御する。
【００６３】
ステップＳ５４では、制御部２１は、ユーザの起床後に血圧測定が行われた否かを判断する。例えば、制御部２１は、ユーザの起床予定時刻からこの起床予定時刻より所定時間後の時刻までに測定が行われたか否かを判断する。ユーザの起床後に血圧測定が行われていない場合（ステップＳ５４；Ｎｏ）、ステップＳ５５では、制御部２１は、測定報知部４６として機能して、血圧測定を促すために報知を行う。例えば、スピーカ２５から音が発せられる。その後、処理が終了となる。一方、ユーザの起床後に血圧測定が行われた場合（ステップＳ５４；Ｙｅｓ）、報知を行うことなく処理が終了となる。
【００６４】
図６は、血圧計１１がオシロメトリック法による血圧測定を行う際の動作フローを概略的に示している。制御部２１は、現在時刻が測定予定時刻になると、又は、ユーザからの血圧測定開始指示に応答して、血圧測定を開始する。
【００６５】
図６のステップＳ６１では、制御部２１は、測定制御部４５として機能して、血圧測定のための初期化を行う。例えば、制御部２１は、処理用メモリ領域を初期化する。さらに、制御部２１は、弁駆動回路２７５を介して弁２７４を開く。それにより、押圧カフ２７１内の空気が排気される。続いて、制御部２１は、圧力センサ２７６の現時点の出力値をカフ圧に関する基準値として設定する。
【００６６】
ステップＳ６２では、制御部２１は、測定制御部４５として機能して、押圧カフ２７１に加圧する制御を行う。例えば、制御部２１は、弁駆動回路２７５を介して弁２７４を閉じ、ポンプ駆動回路２７３を介してポンプ２７２を駆動する。それにより、空気が押圧カフ２７１に供給され、押圧カフ２７１が膨張するとともに、図７に示すようにカフ圧Ｐｃが徐々に高まる。制御部２１は、圧力センサ２７６によりカフ圧Ｐｃをモニタし、動脈容積の変動成分を表す脈波信号Ｐｍを取得する。
【００６７】
図６のステップＳ６３では、制御部２１は、測定制御部４５として機能して、この時点で取得されている脈波信号Ｐｍに基づいて血圧値の算出を試みる。この時点でデータ不足のために未だ血圧値を算出できない場合（ステップＳ６４；Ｎｏ）、カフ圧Ｐｃが上限圧力に達していない限り、ステップＳ６２〜Ｓ６４の処理が繰り返される。
【００６８】
血圧値の算出ができたら（ステップＳ６４；Ｙｅｓ）、ステップＳ６５では、制御部２１は、測定制御部４５として機能して、ポンプ駆動回路２７３を介してポンプ２７２を停止し、弁駆動回路２７５を介して弁２７４を開く。それにより、押圧カフ２７１内の空気が排気される。ステップＳ６６では、制御部２１は、測定制御部４５として機能して、測定結果を記憶装置２２に保存し、さらに、表示制御部４２として機能して、測定結果を表示装置２３に表示させる。
【００６９】
なお、図５又は図６に示した動作フローは例示に過ぎず、処理手順又は処理内容は適宜に変更可能である。例えば、ステップＳ５４、Ｓ５５の処理は削除されてもよい。この場合、スマートフォン１２でステップＳ５４、Ｓ５５の処理と同様の処理が行われてもよい。また、血圧値の算出は、図６では押圧カフ２７１に空気が供給される加圧過程において実行されるが、押圧カフ２７１内の空気が排気される減圧過程において実行されてもよい。
【００７０】
［効果］
上述した構成を有する血圧計１１は、ユーザの起床予定時刻より所定時間前の時刻に測定予定時刻を設定し、この測定予定時刻にユーザの血圧を測定する。これにより、起床直前にユーザの血圧を測定することが可能となる。その結果、起床前後の血圧変化を観測することができるようになる。例えば、起床直前に生じることがある、血圧が急峻に上昇しその後下降する一過性の血圧変動を捉えることが可能になる。
【００７１】
一例では、血圧計１１は、起床用アラームに関して設定された複数のアラーム時刻のうちの最も早いアラーム時刻を起床予定時刻として使用して、測定予定時刻を設定する。これにより、ユーザが起床する前に血圧測定をより確実に行うことができるようになる。他の例では、血圧計１１は、ユーザの前日の起床時刻を起床予定時刻として使用して、測定予定時刻を設定する。これにより、ユーザが起床する前に血圧測定をより確実に行うことができるようになる。
【００７２】
血圧計１１は、ユーザが起床した後に血圧測定が行われていない場合に、血圧測定を促すために報知を行う。これにより、起床後に血圧測定がより確実に行われるようになる。この結果、起床前後の血圧変化をより確実に観測することができるようになる。
【００７３】
［変形例］
なお、この発明は上記実施形態に限定されるものではない。
【００７４】
ヒトは、睡眠中に交感神経が亢進すると、睡眠の深さが浅く、心拍数が高い状態になることが知られている。この状態では、血圧の急上昇が生じやすくなる。よって、ユーザが睡眠の深さが浅い状態又は心拍数が高い状態にあるときに血圧測定を行うことで、血圧の急上昇に起因する血圧が高い状態を検出することが可能になる。
【００７５】
図８は、一実施形態に係る血圧計８０のハードウェア構成の一例を概略的に示している。図８において図２に示した構成要素と同様の構成要素に同じ参照符号を付して、それらの構成要素についての説明を適宜省略する。
【００７６】
図８に示す血圧計８０は、図２に示した血圧計１１に加速度センサ８１を追加したものに相当する。加速度センサ８１は例えば３軸加速度センサである。加速度センサ８１はユーザに装着される。加速度センサ８１は、押圧カフ２７１に設けられる。加速度センサ８１の出力は制御部２１に与えられる。ユーザが押圧カフ２７１を装着した状態では、加速度センサ８１の出力はユーザの体動に応じて変化する。ヒトは、睡眠が浅いとき（レム睡眠状態）には体動が大きくなり、睡眠が深いとき（ノンレム睡眠状態）には体動が小さくなる。よって、加速度センサ８１の出力に基づいて睡眠が浅いか深いかを判断することが可能である。
【００７７】
図９は、血圧計８０のソフトウェア構成の一例を概略的に示している。図９において図４に示した要素と同様の要素に同じ参照符号を付して、それらの要素についての説明を適宜省略する。
【００７８】
図９に示す血圧計８０は、図４に示した血圧計８０に睡眠検出部９１を追加したものに相当する。睡眠検出部９１は、加速度センサ８１の出力に基づいて、ユーザの睡眠の深さを検出する。例えば、睡眠検出部９１は、図１０に示すように、測定予定時刻より所定時間Ｔ１だけ前の時刻から測定予定時刻までの時間範囲において検出を行う。所定時間Ｔ１は、測定予定時刻と起床予定時刻との時間差Ｔ０と同じであってもよく、異なっていてもよい。睡眠検出部９１は、睡眠の深さが浅いことを検出すると、検出信号を測定制御部４５に与える。
【００７９】
測定制御部４５は、睡眠検出部９１から検出信号を受け取ったときに、血圧測定を開始する。測定制御部４５は、睡眠検出部９１から検出信号を受け取らなかったときには、測定予定時刻に血圧測定を開始する。言い換えると、測定制御部４５は、測定予定時刻を終点とする時間範囲においてユーザの睡眠の深さが浅いときに、血圧測定部２７にユーザの血圧を測定させ、当該時間範囲においてユーザの睡眠の深さが浅くならなかった場合には、測定予定時刻に血圧測定部２７にユーザの血圧を測定させる。
【００８０】
図１１は、血圧計８０が起床前後にユーザの血圧を測定するための動作フローを概略的に示している。図１１のステップＳ１１１、Ｓ１１２、Ｓ１１６、Ｓ１１７の処理は、図５に示したステップＳ５１、Ｓ５２、Ｓ５４、Ｓ５５の処理と同様である。
【００８１】
図１１のステップＳ１１１では、制御部２１は、ユーザの起床予定時刻を示す起床予定時刻情報を取得する。ステップＳ１１２では、制御部２１は、測定予定時刻設定部４４として機能して、起床予定時刻より所定時間（例えば１０分）前の時刻に測定予定時刻を設定する。
【００８２】
ステップＳ１１３では、現在時刻が測定予定時刻より所定時間（例えば１５分）前の時刻になると、制御部２１は、睡眠検出部９１として機能して、ユーザの睡眠の深さが浅いか否かを判定する。睡眠の深さが浅いと制御部２１が判定した場合（ステップＳ１１３；Ｙｅｓ）、処理はステップＳ１１５に進む。
【００８３】
睡眠の深さが深いと制御部２１が判定した場合（ステップＳ１１３；Ｎｏ）、処理はステップＳ１１４に進む。現在時刻が測定予定時刻に達していない場合（ステップＳ１１４；Ｎｏ）、処理はステップＳ１１３に戻る。現在時刻が測定予定時刻になった場合（ステップＳ１１４；Ｙｅｓ）、処理はステップＳ１１５に進む。
【００８４】
ステップＳ１１５では、制御部２１は、測定制御部４５として機能して、ユーザの血圧を測定するように血圧測定部２７を制御する。制御部２１は、測定予定時刻を終点とする時間範囲においてユーザの睡眠の深さが浅いことを睡眠検出部９１が検出したときに、血圧測定部２７にユーザの血圧を測定させ、当該時間範囲においてユーザの睡眠の深さが浅いことを睡眠検出部９１が検出しなかった場合には、測定予定時刻に血圧測定部２７にユーザの血圧を測定させる。
【００８５】
ステップＳ１１６では、制御部２１は、ユーザが起床した後に血圧測定が行われた否かを判断する。起床後に血圧測定が行われていない場合（ステップＳ１１６；Ｎｏ）、ステップＳ１１７では、制御部２１は、測定報知部４６として機能して、血圧測定を促すために報知を行う。その後、処理が終了となる。また、起床後に血圧測定が行われた場合（ステップＳ１１６；Ｙｅｓ）、報知を行うことなく処理が終了となる。
【００８６】
上述した構成を有する血圧計８０によれば、ユーザが起床する直前であって血圧が高いことが予測されるタイミングで血圧測定を行うことが可能となる。その結果、起床前後の血圧変化を効果的に観測することができるようになる。
【００８７】
上記したものとは逆に、血圧計８０は、測定予定時刻を終点とする時間範囲においてユーザの睡眠の深さが深いときに、ユーザの血圧を測定するようにしてもよい。
【００８８】
血圧計８０の睡眠検出部９１は、睡眠の深さを複数の（例えば４つの）レベルで検出してもよい。この場合において、測定制御部４５は、測定予定時刻設定部４４により設定された測定予定時刻に血圧測定を行うよう血圧測定部２７を制御し、血圧測定値及び睡眠の深さを表すレベルを含む測定結果を出力してよい。この測定結果は、ユーザの血圧状態を知るために医師にとって有用である。
【００８９】
図１２は、一実施形態に係る血圧計１２０のハードウェア構成の一例を概略的に示している。図１２において図２に示した構成要素と同様の構成要素に同じ参照符号を付して、それらの構成要素についての説明を適宜省略する。
【００９０】
図１２に示す血圧計１２０は、図２に示した血圧計１１に心拍センサ１２１を追加したものに相当する。心拍センサ１２１はユーザの心拍数を測定する。心拍センサ１２１はユーザに取り付け可能に構成される。例えば、心拍センサ１２１は押圧カフ２７１に設けられる。心拍センサ１２１の出力は制御部２１に与えられる。心拍センサ１２１は、本発明の心拍数測定部に相当する。
【００９１】
図１３は、血圧計１２０のソフトウェア構成の一例を概略的に示している。図１３において図４に示した要素と同様の要素に同じ参照符号を付して、それらの要素についての説明を適宜省略する。
【００９２】
図１３に示す血圧計１２０は、図４に示した血圧計８０に心拍測定制御部１３１を追加したものに相当する。心拍測定制御部１３１は、心拍センサ１２１を制御する。例えば、心拍測定制御部１３１は、測定予定時刻より所定時間だけ前の時刻から測定予定時刻までの時間範囲において心拍センサ１２１を駆動する。心拍測定制御部１３１は、心拍センサ１２１により得られた心拍数の測定値を測定制御部４５に与える。
【００９３】
測定制御部４５は、測定予定時刻を終点とする時間範囲においてユーザの心拍数が閾値（例えば８０ｂｐｍ）を超えたときに、血圧測定部２７にユーザの血圧を測定させ、当該時間範囲においてユーザの心拍数が閾値を超えなかった場合には、測定予定時刻に血圧測定部２７にユーザの血圧を測定させる。
【００９４】
図１４は、血圧計１２０が起床前後にユーザの血圧を測定するための動作フローを概略的に示している。図１４のステップＳ１４１、Ｓ１４２、Ｓ１４６、Ｓ１４７の処理は、図５に示したステップＳ５１、Ｓ５２、Ｓ５４、Ｓ５５の処理と同様である。
【００９５】
図１４のステップＳ１４１では、制御部２１は、ユーザの起床予定時刻を示す起床予定時刻情報を取得する。ステップＳ１４２では、制御部２１は、測定予定時刻設定部４４として機能して、起床予定時刻より所定時間前の時刻に測定予定時刻を設定する。
【００９６】
現在時刻が測定予定時刻より所定時間前の時刻になると、制御部２１は、ユーザの心拍数を測定するために、心拍センサ１２１を駆動する。ステップＳ１４３では、制御部２１は、測定制御部４５として機能して、ユーザの心拍数が閾値を超えたか否かを判定する。ユーザの心拍数が閾値を超えた場合（ステップＳ１４３；Ｙｅｓ）、処理はステップＳ１４５に進む。
【００９７】
ユーザの心拍数が閾値を超えない場合（ステップＳ１４３；Ｎｏ）、処理はステップＳ１４４に進む。現在時刻が測定予定時刻に達していない場合（ステップＳ１４４；Ｎｏ）、処理はステップＳ１４３に戻る。現在時刻が測定予定時刻になった場合（ステップＳ１４４；Ｙｅｓ）、処理はステップＳ１４５に進む。
【００９８】
ステップＳ１４５では、制御部２１は、測定制御部４５として機能して、ユーザの血圧を測定するために、血圧測定部２７を制御する。制御部２１は、測定予定時刻を終点とする時間範囲においてユーザの心拍数が閾値を超えたときに、血圧測定部２７にユーザの血圧を測定させ、当該時間範囲においてユーザの心拍数が閾値を超えなかった場合には、測定予定時刻に血圧測定部２７にユーザの血圧を測定させる。
【００９９】
ステップＳ１４６では、制御部２１は、ユーザが起床した後に血圧測定が行われた否かを判断する。起床後に血圧測定が行われていない場合（ステップＳ１４６；Ｎｏ）、ステップＳ１４７では、制御部２１は、測定報知部４６として機能して、血圧測定を促すために報知を行う。その後、処理が終了となる。また、起床後に血圧測定が行われた場合（ステップＳ１４６；Ｙｅｓ）、報知を行うことなく処理が終了となる。
【０１００】
上述した構成を有する血圧計１２０によれば、ユーザが起床する直前において血圧が高いことが予測されるタイミングで血圧測定を行うことが可能となる。その結果、起床前後の血圧変化を効果的に観測することができるようになる。
【０１０１】
また、測定予定時刻を算出する際に使用する所定時間は学習により決定するようにしてもよい。
【０１０２】
図１５は、一実施形態に係る血圧計１５０のソフトウェア構成の一例を概略的に示している。図１５において図４に示した要素と同様の要素に同じ参照符号を付して、それらの要素についての説明を適宜省略する。図１５に示した血圧計１５０は、図４に示した血圧計１１に決定部１５１を追加したものに相当する。ハードウェア構成に関しては、血圧計１５０は血圧計１１と同様である。
【０１０３】
決定部１５１は、複数日にわたって測定予定時刻より前の時刻にユーザの血圧を測定することで得られた測定結果に基づいて、測定予定時刻を算出する際に使用する時間を決定する。例えば、血圧計１５０は、測定予定時刻より１０分前の時刻にユーザの血圧を測定する処理を複数日にわたって行い、それにより得られた血圧測定値の平均値を求める。この平均値を第１の平均値と呼ぶ。血圧測定値は例えば収縮期血圧の測定値である。その後、血圧計１５０は、測定予定時刻より１５分前の時刻にユーザの血圧を測定する処理を複数日にわたって行い、それにより得られた血圧測定値の平均値を求める。この平均値を第２の平均値と呼ぶ。さらにその後に、血圧計１５０は、測定予定時刻より２０分前の時刻にユーザの血圧を測定する処理を複数日にわたって行い、それにより得られた血圧測定値の平均値を求める。この平均値を第３の平均値と呼ぶ。決定部１５１は、第１の平均値、第２の平均値、及び第３の平均値を比較し、最も高い平均値に対応する時間を、測定予定時刻を算出する際に使用する時間として決定する。例えば、第２の平均値が最も大きい場合、測定予定時刻を算出する際に使用する時間は１５分に決定される。
【０１０４】
上述した構成を有する血圧計１５０によれば、ユーザが起床する直前であって血圧が高くなりやすいタイミングで血圧測定を行うことが可能となる。その結果、起床前後の血圧変化を効果的に観測することができるようになる。
【０１０５】
なお、本発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要素における適当な組み合わせにより種々の発明が抽出され得る。
【０１０６】
上記の実施形態の一部又は全部は、以下の付記のようにも記載され得るが、以下には限られるものではない。
【０１０７】
（付記１）
ユーザの血圧を測定する血圧測定部（２７）と、
前記ユーザの起床予定時刻より所定時間前の時刻に測定予定時刻を設定する設定部（４４）と、
前記設定された測定予定時刻に従って、前記血圧測定部に前記ユーザの前記血圧を測定させる測定制御部（４５）と、
を備える血圧測定装置（１１）。
【符号の説明】
【０１０８】
１０…健康管理システム
１１…血圧計
１２…スマートフォン
１３…サーバ
１４…医師端末
２１…制御部
２１１…ＣＰＵ
２１２…ＲＡＭ
２１３…プログラムメモリ
２２…記憶装置
２３…表示装置
２４…入力装置
２５…スピーカ
２６…通信インタフェース
２７…血圧測定部
２７１…押圧カフ
２７２…ポンプ
２７３…ポンプ駆動回路
２７４…弁
２７５…弁駆動回路
２７６…圧力センサ
２７７…発振回路
２７８，２７９…配管
２８…本体
４１…入力部
４２…表示制御部
４３…通信制御部
４４…測定予定時刻設定部
４５…測定制御部
４６…測定報知部
４７…測定結果記憶部
８０…血圧計
８１…加速度センサ
９１…睡眠検出部
１２０…血圧計
１２１…心拍センサ
１３１…心拍測定制御部
１５０…血圧計
１５１…決定部
【図１】
2020146403.tif 000003
【図２】
2020146403.tif 000004
【図３】
2020146403.tif 000005
【図４】
2020146403.tif 000006
【図５】
2020146403.tif 000007
【図６】
2020146403.tif 000008
【図７】
2020146403.tif 000009
【図８】
2020146403.tif 000010
【図９】
2020146403.tif 000011
【図１０】
2020146403.tif 000012
【図１１】
2020146403.tif 000013
【図１２】
2020146403.tif 000014
【図１３】
2020146403.tif 000015
【図１４】
2020146403.tif 000016
【図１５】
2020146403.tif 000017